(57)【要約】      （修正有）【課題】ペダルの動きが滑らかで快適にトレーニングできるとともに体に優しく、しかも静音性に優れた足踏み式健康器を提供する。【解決手段】台座基体に、支柱と、該支柱から隔てて設けられる案内部とを設け、前記支柱の両側に設けた横軸部で前記支柱から離れて前端部を取付けられて後方にのび、前記横軸部廻りで上下に傾動するとともに支柱の中心線廻りを回動しうる一対のペダルを具え、前記案内部は、前記両側のペタルが高さが揃う基準状態において、ペダルの中間位置と前記支柱の中心位置を通る台座中心線を挟んだ両側位置に、下方から上方に向かって台座中心線に近づく斜めの案内面を具えるとともに、各ペダルの下面に、案内面に当接し該案内面に案内されて転動し移動するローラを設け、前記一方のペダルの上又は下方、及び台座中心線に向く内方又は外方への動きとともに、他方のペダルに各他方の向きへの動作をさせることを特徴とする。【選択図】図１
0003116525.tif 000002
【実用新案登録請求の範囲】
【請求項１】
台座基体に、支柱と、該支柱から隔てて設けられる案内部とを設けた台座、及び前記支柱の両側に設けた横軸部で前記支柱から離れて前端部を取付けられて後方にのび前記横軸部廻りで上下に傾動するとともに支柱の中心線廻りを回動しうる一対のペダルを具え、
前記案内部は、前記両側のペタルが高さが揃う基準状態において、両側のペダルの中間位置と前記支柱の中心位置を通る台座中心線を挟んだ両側位置に、下方から上方に向かってそれぞれ前記台座中心線に近づく斜めの案内面を具えるとともに、
前記各ペダルの下面に、前記案内面に当接し該案内面に案内されて転動し移動するローラを設け、前記一方のペダルの上又は下方、及び台座中心線に向く内方又は外方への動きとともに、他方のペダルに各他方の向きへの動作をさせることを特徴とする足踏み式健康器。
【請求項２】
前記ローラは、前記基準状態において、前記案内面の高さ中間位置近傍で前記案内面に当接することを特徴とする請求項１記載の足踏み式健康器。
【請求項３】
前記ペダルを構成するペダルフレームは、平面視かつ前記基準状態において、間隔が後方で広がるハ字状に配置され、かつ前記ローラの回転軸心と、前記案内面とは前記基準状態で直角となる向きに配されたことを特徴とする請求項１又は２記載の足踏み式健康器。  
【請求項４】
前記案内面は、上端から下端に向かって、平面視して前記支柱側に緩傾斜することを特徴とする請求項１〜３のいずれかに記載の足踏み式健康器。
【請求項５】
前記支柱は、台座基体に立設された塔状の基部と、水平にのびる横軸部を有するとともに前記基部に回動可能に支持される回動部とを具え、
前記両側のペダルは、その前端部が前記横軸部に枢支されることを特徴とする請求項１〜４のいずれかに記載の足踏み式健康器。
【請求項６】
前記支柱は、両側のペダルの動きを円滑化させる制御手段を具えることを特徴とする請求項１〜５のいずれかに記載の足踏み式健康器。
【請求項７】
前記制御手段は、前記回動部の下部に固着され前記横軸部と平行にのびるアームと、後端が台基体に取り付けられるとともに前端が前記アーム両端部に各々取付けられる左右の引っ張りバネとを具え、
アームの回動により生じる左右の引っ張りバネのバネ力に差によって、回動部に両側のペダルを前記基準状態へ引き戻す方向の回転力が作用することを特徴とする請求項６記載の足踏み式健康器。
【考案の詳細な説明】
【技術分野】
【０００１】
本考案は、ペダルを左右交互に踏むことにより、ウォーキングの代わりとなるトレーニングが室内で手軽に行なえる足踏み式健康器に関する。
【背景技術】
【０００２】
室内において簡単にウォーキング運動ができるトレーニング機器として、使用者の足踏み動作に連動して交互に昇降する左右のペダルを設けた足踏み式の健康器が広く使用さている。
【０００３】
そして足の昇降運動にツイスト動作を付加してトレーニング効果を高めるため、図１１に示すように、上下動可能かつ支柱ａを芯として左右へ揺動可能に構成した一対のペダルｂのフレームｄを、山形の支持部ｅの左右で傾斜する斜面ｆ上に当接支持させた足踏み式健康器が提案されている（例えば、特許文献１参照）。  
【０００４】
この足踏み式健康器では、踏み降ろしたペダルｂのフレームｄが、斜面ｆ上をスライドして降下することにより外方へスイングし、他方のペダルｂが連動して斜面ｆに沿って上昇することにより内側へスイングし、この動作の繰り返しによって普通に歩くようにステップを踏むだけで、上下左右のひねりが加わったトレーニングができ、その結果ウエスト、ヒップ、太腿などのシェイプアップを図るとともに各筋力をバランスして鍛える効果が得られる。
【０００５】
【特許文献１】実用新案登録第３１０７５６１号公報
【考案の開示】
【考案が解決しようとする課題】
【０００６】
しかしながら、前記提案の足踏み式健康器では、昇降を繰り返すペダルｂの一方が最上位まで上昇して、下降運動へ反転する際、フレームｄと斜面ｆとの間に静止摩擦力が働くため踏み降ろしの開始時に大きな力が必要となり、その結果足首、膝などに過度の負荷がかかり、或いは摩擦音、振動を生じ易く、更なる改良が求められていた。
【０００７】
本考案は、ペダルの下面に、前記案内面に当接し該案内面に案内されて転動し移動するローラを設け、前記一方のペダルの上又は下方、及び台座中心線に向く内方又は外方への動きとともに、他方のペダルに各他方の向きへの動作をさせることを基本とし、ペダルの動きが滑らかで快適にトレーニングできるとともに体に優しく、しかも静音性に優れた足踏み式健康器の提供を課題としている。
【課題を解決するための手段】
【０００８】
前記目的を達成するために、請求項１に係る考案では、台座基体に、支柱と、該支柱から隔てて設けられる案内部とを設けた台座、及び前記支柱の両側に設けた横軸部で前記支柱から離れて前端部を取付けられて後方にのび前記横軸部廻りで上下に傾動するとともに支柱の中心線廻りを回動しうる一対のペダルを具え、前記案内部は、前記両側のペタルが高さが揃う基準状態において、両側のペダルの中間位置と前記支柱の中心位置を通る台座中心線を挟んだ両側位置に、下方から上方に向かってそれぞれ前記台座中心線に近づく斜めの案内面を具えるとともに、前記各ペダルの下面に、前記案内面に当接し該案内面に案内されて転動し移動するローラを設け、前記一方のペダルの上又は下方、及び台座中心線に向く内方又は外方への動きとともに、他方のペダルに各他方の向きへの動作をさせることを特徴とする。
【０００９】
請求項２に係る考案においては、前記ローラは、前記基準状態において、前記案内面の高さ中間位置近傍で前記案内面に当接し、請求項３に係る考案では、前記ペダルを構成するペダルフレームは、平面視かつ前記基準状態において、間隔が後方で広がるハ字状に配置され、かつ前記ローラの回転軸心と、前記案内面とは前記基準状態で直角となる向きに配されたことを特徴とする。
【００１０】
請求項４に係る考案においては、前記案内面は、上端から下端に向かって、平面視して前記支柱側に緩傾斜し、請求項５に係る考案では、前記支柱は、台座基体に立設された塔状の基部と、水平にのびる横軸部を有するとともに前記基部に回動可能に支持される回動部とを具え、前記両側のペダルは、その前端部が前記横軸部に枢支されることを特徴とする。
【００１１】
請求項６に係る考案においては、前記支柱は、両側のペダルの動きを円滑化させる制御手段を具え、請求項７に係る考案では、前記制御手段は、前記回動部の下部に固着され前記横軸部と平行にのびるアームと、後端が台基体に取り付けられるとともに前端が前記アーム両端部に各々取付けられる左右の引っ張りバネとを具え、アームの回動により生じる左右の引っ張りバネのバネ力に差によって、回動部に両側のペダルを前記基準状態へ引き戻す方向の回転力が作用することを特徴とする。
【考案の効果】
【００１２】
請求項１に係る考案においては、ペダル下面に設けたローラが、台座中心線を挟んで傾斜する案内面上を転動しながらこれに案内され、踵側を左右にスイングしつつ上下動するため、使用者が足踏み運動する際、両側のペダルがスムースに上下動して、脚力に運動負荷を与える抵抗力が平均化する。特に最上位にあるペダルを踏み降ろしする時に必要となる最大負荷が抑制されて滑らかな動きが得られるため、足首、膝、腰などが過度な負荷により炎症を生じることがなくなる。同時に平均化された適度な運動負荷を伴って一定時間継続して快適にトレーニングできるため、ウェスト、脚などのシェイプアップ、脚力アップとともに心肺機能向上に大きな効果が得られる。また、ペダルの昇降運動が、ローラが案内面上を転動することにより支持されるため、摩擦音、或いは摩擦に起因した振動を抑制でき、深夜でも問題なく使用できるとともに、軽快な音楽にあわせて快適にトレーニングでき、また下階住戸に騒音、振動が伝わることもない。
【００１３】
請求項２に係る考案のように、両側のペダル高さが揃う基準状態におけるローラが、案内面の高さ中間位置近傍で前記案内面に当接するように構成すると、前記基準状態から案内面上を上下に転動するローラが、案内面の範囲内で最大の昇降ストロークを設定することができ、請求項３に係る考案のように、基準状態において、ローラの回転軸心と案内面とを直角となる向きに配すると、支柱の中心線廻りに円弧状に案内面上を転動するローラは、上下端において、回転軸心が案内面に対して若干の傾きを生じるものの、そのズレを最小に留めて、案内面上を滑らかに転動できる。
【００１４】
請求項４に係る考案のように、案内面を、上端から下端に向かって平面視して前記支柱側に緩傾斜するように構成すると、ローラの全ストロークに亘り、その周面方向と案内面の傾斜方向とのズレを最小に抑制できるため、ローラが案内面上を滑らかに転動でき、請求項５に係る考案のように、支柱を、基部と、横軸部を有して基部に回動可能に支持される回動部とを含み構成すると、前端部を横軸部に枢支されたペダルは、該横軸部を中心とする上下傾動と、踵側のスイング運動とが、安定して支持されて無理なく滑らかに動作できる。
【００１５】
請求項６に係る考案においては、抑制手段により、両側のペダルの動きがスムースになるため、使用者に無理な負荷を与えることがなく、快適にトレーニングでき、請求項７に係る考案のように、前記回動部の下部に固着したアームと、該アームの端部乃至台基体間に取付けられた引張りバネとを含んで制御手段を構成すると、アームが回動して生じる左右の引っ張りバネのバネ力に差により、回動部に両側のペダルを前記基準状態へ引き戻す方向の回転力が作用する。そのため、ペダルを上端から下端へ踏み込むストローク全体において使用者に対して平均的な負荷が掛かるため、膝を含む関節、筋肉、筋などに故障を生じる可能性を減じるとともに、快適にトレーニングできる。
【考案を実施するための最良の形態】
【００１６】
以下、本考案の実施の一形態を、図示例とともに説明する。図１に示すように、足踏み式健康器１は、台座５、及びこの台座５に支持されて左右に並ぶ一対のペダル７を有する。更に前記台座５は、床面に載置される台座基体２と、この台座基体２上に前後に隔てて設けられる支柱３と、案内部４とを含んで構成される。なお本明細書では、使用者の爪先側を前とする。
【００１７】
前記台座基体２は、床面に安定して載置される形状を有し、本形態では、前横枠２Ｆと、円弧状の後横枠２Ｂと、前横枠２Ｆ、後横枠２Ｂ間を中央で繋ぐとともに台座基体２の幅方向の中央に位置する台座中心線８に沿って前後にのびる通し枠２Ｔとからなり、平面視略エ字状をなす。なお前記前横枠２Ｆ、及び後横枠２Ｂの両端部には、滑り止め及び床面傷付け防止用のキャップ２１を嵌着している。また前横枠２Ｆの両端部には、使用者が足踏みトレーニングの際に把持するシェイプアップバンド取付け用の受けリング２２が設けられ、更に右側の受けリング２２に隣接して、使用者が手掛りとする、図示されない手摺を取付けるための手摺受け２３が設けられる。
【００１８】
前記案内部４は、図３、６に示すように、横のびる底枠４Ａと、この底枠４Ａの両端部から小高さで上へ立ち上がる側枠４Ｂ、４Ｂと、この側枠４Ｂ、４Ｂの上端部から各々内側へ傾いて斜め上方へのびる傾斜枠４Ｄ、４Ｄと、この傾斜枠４Ｄ、４Ｄの略中間部間を繋ぐ水平な継ぎ枠４Ｅとを枠組みしたホームベース状の案内枠２４を、前記通し枠２Ｔの上部に固着して形成される。
【００１９】
更に前記傾斜枠４Ｄには下開放の断面コ字状のカバー２５が被嵌され、このカバー２５の上面により案内面９が形成される。この案内面９は、左右の傾斜枠４Ｄ、４Ｄに各々設けらて、双方の案内面９、９は、前記台座中心線８を挟んで対称に配置されるとともに、下方から上方に向かって台座中心線８に近づいて傾く。また前記案内面９は、図７に示すように、台座中心線８に近い上端から台座中心線８から離れる下端に向かうに従って、平面視支柱３側、即ち前側に近づいて緩やかに傾いて配置される。
【００２０】
前記支柱３は、案内部４より前側で前記台座基体２上に立設される。更に本形態の支柱３は、図３に示すように、台座基体２に立設された塔状の基部１１と、回動部１２とからなる。前記基部１１は、略丸筒状をなし、その下端部が前記通し枠２Ｔに固着されるとともに、その上端部は中央にナット２６を有する上蓋片２７により閉蓋されている。
【００２１】
前記回動部１２は、前記基部１１よりも大径で丸筒状の回動筒体２８と、両端から取付ネジ３３を突出した丸棒状の横木２９とを含み構成されたものが例示される。
【００２２】
前記回動筒体２８の上端内部には、図３、４に示すように、横を向いた角筒片３０が螺着され、この前記角筒片３０の内部を前記横木２９が挿通している。そしてこの回動筒体２８は、キャップ状のブッシュ３１を介して、前記基部１１に外挿するとともに、前記角筒片３０、及び横木２９の中央部を下に向けて挿通し、下端部が前記ナット２６に螺着するボルト３２により、基部１１に取り付けられる。しかして支柱３の上部に固着されて左右両側へのびる前記横木２９により、横軸部６が形成される。なお前記ボルト３２の頭部と角筒片３０との間には、ベアリング３４が挿入され、前記ブッシュ３１と協動して、回動筒体２８及び横軸部６が、支柱３の中心線廻りを滑らかに回転できるよう構成される。
【００２３】
更に本形態の支柱３は、図３に示すように、回動筒体２８の下部に前記横軸部６と平行な断面コ字状のアーム１４が固着されるとともに、このアーム１４の両端部は、後端が台座基体２に取り付けられた引っ張りバネ１５の前端が取り付けられ、アーム１４の両端部を同強さのバネ力で後に引いている。しかして前記アーム１４と引っ張りバネ１５により、横軸部６が左右に向く基準状態から一方へ回動した時、前記バネ力に差が生じるため、横軸部６を基準状態へ引き戻す回転力が作用する制御手段１３が形成される。なお本形態では、後側で基準状態のアーム１４と向き合い、前記通し枠２Ｔに固着された断面コ字状の受け部３５の両端部に前記引っ張りバネ１５の後端が支持されている。
【００２４】
前記ペダル７は、図２、５に示すように、前端部が前記横軸部６に取り付けられるペダルフレーム３６と、このペダルフレーム３６の上を覆ってこれに固定されて、使用者の足を受けるペダルカバー４２とからなり、前記台座中心線８を挟んで対称に形成された左右一対のものが取り付けられる。
【００２５】
前記ペダルフレーム３６は、左右にのび、前記横軸部６よりも少し大径に形成された丸筒３７と、この丸筒３７から斜め後方へのびる主軸３８と、主軸３８の外側でこれに平行に丸筒３７から後方へのびるとともに主軸３８よりも短い側軸３９と、前記主軸３８及び側軸３９の間をつなぐ一対の継ぎ軸４０、４０と、前記主軸３８の後端部で内方へ小長さで折れ曲がる尾軸４１とからなる。そして、前記主軸３８の前寄り位置には、ボールベアリング４３を介してローラ１０が回動自在に外挿している。
【００２６】
前記ペダルフレーム３６は、丸筒３７がブッシュ４４を介して横木２９に外挿され、かつ横木２９の前記取付ネジ３３に螺装したナット４５により抜け止めされ、これによりペダル７は、前記横軸部６に支持されて踵側を上下に傾動自在に支持される。しかも前記の如く、横軸部６は支柱３の中心線廻りを回動可能に構成されているため、ペダル７は同時に、支柱３の中心線廻りに回動できる。
【００２７】
前記ペダルフレーム３６のローラ１０は、使用者の体重を受けて下に押されながらペダル７が傾動及び回動動作する際、前記案内面９上を上下に転動する位置に配置形成されている。従って足踏み運動において、図７に示す左右のペダル７が同高さで揃う標準状態から、例えば図８に示すように、右側のペダル７を踏み降ろすと、右側のローラ１０Ｒが案内面９を下方に向いて転動することにより右側のペダル７Ｒは踵側が降下するとともに前記台座中心線８から離れる外側へ揺動する。これに連動して、前記横軸部６を介して支柱３の中心線廻りを一体に回動する左側のペダル７Ｌは、踵側が台座中心線８に近づく内側へ揺動するとともに、ローラ１０Ｌが案内面９上を登りながら転動するため、踵側が上昇する。左右交互の足踏み運動により、この動作が、左右交互に反転しながら連続するため、足の揚げ降ろしの動作と同時に、踵側が左右交互に捻られるツイスト動作が加わり、そのため、筋力の柔軟性、足首やアキレス腱などを一層強化できるとともに、ウエストの引き締め、ヒップ、太腿、脹脛などのシェイプアップに著しい効果が得られる。
【００２８】
しかも前記の如く、これらペダル７の昇降及びツイスト動作は、台座中心線８を挟んで傾斜する案内面９上を転動するローラ１０に案内されるため、ペダル７が滑らかに上下動して使用者に対する負荷が滑らかとなり、特にペダル７を最上位から踏み降ろしする時の最大負荷が抑制される。その結果、足首、膝、腰などに対する過負荷が防止され、故障を起こす恐れが低減する。また適度な範囲の運動負荷の繰り返しにより、一定時間快適にトレーニングできるため、ウェスト、脚などのシェイプアップ、脚力アップと共に心肺機能向上を始めとして健康増進に著しい効果が得られる。
【００２９】
また、案内面９上を転動するローラ１０によりペダル７の運動動作を支持する構造を採用した静音設計であるため、動作に伴う摩擦音、或いはこれによる振動発生が抑制され、その結果、静寂な深夜でも問題なく使用できるとともに、軽快な音楽にあわせて快適にトレーニングできる。また下階住戸に騒音、振動が伝わり迷惑をかけることもない。
【００３０】
本形態のローラ１０は、図７に示すように、双方のペダル７が揃う基準状態において、案内面９の高さ方向の略中間の位置において当接支持されるように配置されている。従って、図８に示すように、足踏み動作時に、ローラ１０は前記基準状態の中間位置を中心として案内面９を往復移動するため、限られた案内面の範囲内で最大の昇降ストロークが確保でき、効果的なトレーニングが行なえる。
【００３１】
また本形態のペダルフレーム３６は、前記の如く主軸３８が斜め後方へのびるため、図７に示すように前記基準状態において、平面視間隔が後方に向けて広がるハ字状に配置される。しかも標準状態におけるローラ１０は、その回転軸心と案内面９とが平面視直角に配置して構成されている。従って、案内面９上を、支柱３の中心線廻りに円弧状に往復して転動するローラ１０の回転軸心は、往復動の上下端では、案内面９に対して若干の傾きを生じるが、そのズレが転動に影響のない最小の範囲に抑えられるため、ローラ１０は案内面９上を滑らかに転動できる。
【００３２】
更に前記の如く、案内面９は台座中心線８に近い上端から台座中心線８から離れる下端に向かうに従って、前側に近づいて緩やかに傾いて配置されるため、前記支柱３の中心線廻り円弧状に往復動するローラ１０の周面方向と、案内面９の傾斜方向とのズレを抑制でき、ローラ１０が案内面９上を滑らからに転動できる。
【００３３】
また支柱３に設けられた前記制御手段１３により、足踏み運動により基準状態を外れて上下に傾動しつつ支柱３廻りを回動するペダル７に、基準状態へ引き戻す方向の回転力が作用する。すなわち、図９（Ａ）に示ように、左右のペダル７が揃う基準状態では、左右のバネ力が均衡してバランスしている。しかし図９（Ｂ）に示すように、例えば右側のペダル７Ｒを踏み降ろした時、右側の引っ張りバネ１５Ｒが伸ばされてバネ力が増加するため、回動筒体２８を平面視右廻りに回動するモーメントＭが働き、ペダル７を標準状態へ引き戻す力が作用する。その結果、ペダル７が滑らかに昇降動作できるとともに、ペダル昇降ストローク全体において使用者に対する負荷が平均化するため、膝を含む関節、筋肉、筋などに故障を生じる可能性を減じるとともに、快適にトレーニングできる。
【００３４】
また図１０で示す制御手段１３は、バネ調整手段５０が設けられる。前記バネ調整手段５０は、引っ張りバネ１５の後端部を取り付ける受け部３５の中央に設けた長ナット４８と、台座基体２に回転可能に取り付けられて前後にのびて、前記長ナット４８に螺装された調整ボルト４９とからなる。しかして調整ボルト４９を回転操作すると、受け部３５は前後方向にスライドするため、引っ張りバネ１５の強さが調整され、これによりペダル７を踏み込んで昇降させる際の抵抗が増減できるので、年齢、性別、体力などに応じた適度な運動負荷に調節できる点で好ましい。
【００３５】
尚、叙上の説明は本考案の実施の形態を例示したものである。従って本考案の技術的範囲はこれに何ら限定されるものではなく、前記した実施の形態の他にも、各種の変形例が含まれる。
【図面の簡単な説明】
【００３６】
【図１】本考案の一実施の形態を例示する斜視図である。
【図２】その分解斜視図である。
【図３】その要部分解斜視図である。
【図４】その要部断面図である。
【図５】ペダルの分解斜視図である。
【図６】ペダルの動作を説明する略正面図である。
【図７】標準状態を説明する略平面図である。
【図８】一方のペダルを踏み込んだ状態を説明する略平面図である。
【図９】（Ａ）（Ｂ）は、制御手段の動作を説明する略平面図である。
【図１０】他の実施形態を例示する略平面図である。
【図１１】従来例の分解斜視図である。
【符号の説明】
【００３７】
１      足踏み式健康器
２      台座基体
３      支柱
４      案内部
５      台座
６      横軸部
７      ペダル
８      台座中心線
９      案内面
１０      ローラ
１１      基部
１２      回動部
１３      制御手段
１４      アーム
１５      引張りバネ
【図１】
0003116525.tif 000003
【図２】
0003116525.tif 000004
【図３】
0003116525.tif 000005
【図４】
0003116525.tif 000006
【図５】
0003116525.tif 000007
【図６】
0003116525.tif 000008
【図７】
0003116525.tif 000009
【図８】
0003116525.tif 000010
【図９】
0003116525.tif 000011
【図１０】
0003116525.tif 000012
【図１１】
0003116525.tif 000013